Podtech/llm-jp-corpus-v4-ja_patent huggingface dataset:
(57)【要約】      （修正有）【課題】車椅子を自分で移動するときの省力・簡便な方法を提供する。【解決手段】車軸に取り付けた歯車を、一段減速する歯車付き前後進手動ハンドルを椅子の手摺りの上で前後に動かすことで移動する。前後進手動ハンドルを前後に動かすための手動範囲を制限するために手動運動制限枠を設ける。前後進切換えレバーの切り替えにより前後進及びフリーになるようにする。【効果】前後進手動ハンドル先端の歯車の比率を変えることにより簡単に省力化することが可能である。【選択図】図４
2004305669.tif 000002
【特許請求の範囲】
【請求項１】
車椅子を自分で移動するときの省力・簡便な方法。
【発明の詳細な説明】
【０００１】
【発明の属する技術分野】
この発明は車椅子の車軸に一方向に加力する歯車を取り付け、切り換えにより前後進及びフリーになるようにして使用する。
【０００２】
【従来の技術】
従来は、車輪の外側に取り付けられたリングを手動で前後に廻すことにより進行していた。
【０００３】
【発明が解決しようとする課題】
これは、車軸に取り付けた歯車を、一段減速する歯車付きシャフトを椅子の手摺りの上で前後に動かすことで移動する。
切り換えにより前後進及びフリーになるようにする。
【０００４】
【課題を解決するための手段】
シヤフトを前後に動かすための手動範囲を制限するために枠を設ける必要がある。
【０００５】
【本発明の実施の形態】
車椅子に座し両輪横に取り付けられたシャフトを前後に動かすことにより、動力源とする。
【０００６】
【発明の効果】
シャフト先端の歯車の比率を変えることにより簡単に省力化することが可能である。
【図面の簡単な説明】
【図１】本発明の本体側面図である。
【図２】本発明の本体立面図である。
【図３】本発明の拡大立面図である。
【図４】本発明の手動ハンドル拡大図である。
【図１】
2004305669.tif 000003
【図２】
2004305669.tif 000004
【図３】
2004305669.tif 000005
【図４】
2004305669.tif 000006
(57)【要約】【課題】その目的とするところは、通気性と吸湿性があり、体に良い自然素材を使用した敷物であり、且つ衣類に対して摩擦抵抗の少ない織り方を考慮して介護者の労力の軽減する敷物を提供することである。【解決手段】藺草を資料として、表面を滑りやすくする特殊な織り方をした敷物１であり、両端部に設け滑り止２ａ，２ｂと、固定部３ａ，３ｂを設けた敷物である。【選択図】              図１
2004305663.tif 000002
【特許請求の範囲】
【請求項１】
表面を滑りやすくする特殊な織り方をした藺草の敷物（１）と、藺草の敷物の両端部に滑り止（２ａ，２ｂ）を設けた事を特徴とする介護用敷物。
【請求項２】
藺草の敷物（１）が動かないように、両端部に設けた滑り止（２ａ，２ｂ）のもう一方の端部に固定部（３ａ，３ｂ）を設けた事を特徴とする請求項１記載の介護用敷物。
【発明の詳細な説明】
【０００１】
【産業上の利用分野】
この発明は、家庭や病院等で使用する介護用の敷物であり、特に通気性と吸湿性を良くし、床ずれを防止する敷物に関する物である。
【０００２】
【従来の技術】
従来、布団を汚さないために防水加工や撥水処理したシーツやマツトがある。
【０００３】
【発明が解決しようとする課題】
動けない病人や寝たきり老人である被介護者は、防水加工や撥水処理したシーツを使用するために、通気性と吸湿性が悪くなり、床ずれが生じる問題がある。
【０００４】
また、被介護者を介護する介護者は、床ずれ防止のために体の位置をずらしたり、排尿・排便や入浴のために体を移動させるのは大変体力のいる重労働であった。何故なら、被介護者の着ている衣類と、シーツ、マツト、毛布等との摩擦抵抗により、体にまとわりついたりして、身動きがとれないからである。
【０００５】
本発明は、従来の技術の有するこのような問題点に鑑みてなされたものでありその目的とするところは、通気性と吸湿性があり、体に良い自然素材を使用した敷物であり、且つ衣類に対して摩擦抵抗の少ない織り方を考慮して介護者の労力の軽減する敷物を提供することである。
【０００６】
【課題を解決するための手段】
発明者は、前記の課題を解決するにはどのようにすればよいかあれこれ思索し実験も重ねた結果、ようやく本発明を完成させることができた。本発明に係る介護用敷物は、その課題を解決したものであって、次のようなものである。
【０００７】
表面を滑りやすくする特殊な織り方をした藺草の敷物１と、藺草の敷物の両端部に滑り止２ａ，２ｂを設けた介護用敷物。
【０００８】
藺草の敷物１が動かないように、両端部に設けた滑り止２ａ，２ｂのもう一方の端部に固定部３ａ，３ｂを設けた介護用敷物。
【０００９】
【発明の実施の形態】
四角形の織物であり、横糸（緯糸）に藺草を使用して、縦糸（径糸）を通常の糸により編み上げた物であり、特に編み方として朱子織又は綾織（斜文織）により適度な滑りが得られるので好適な事例である。
【００１０】
滑り止２ａ，２ｂは、細い帯状で藺草の敷物１の両端の部分に設けたものであり、藺草の敷物１の厚みより若干厚みがあり、被介護者の体の滑り止めと、藺草の敷物１が敷布団の上からずれないようにするものである。
【００１１】
固定部３ａ，３ｂは、通常の生地できた織物であり、藺草の敷物１を動かないように敷布団に敷き込み使用する。
【００１２】
このようにすることで、藺草の敷物１の表面と、被介護者である病人又は老人の衣類との間で、適度な滑りがあるので、介護者は被介護者の体の移動が容易となり床ずれを防止できる。
【００１３】
介護者が、被介護者の体の位置を変えたい時は、藺草の敷物１の中心にして、滑ららすようにして体を移動させる。よって、介護者は軽い力で、被介護者である動けない病人や寝たきり老人の体の位置を容易に変えることができる。
【００１４】
【実施例】
以下、図面を参照して、この発明の好適な実施例を例示的に詳しく説明する。ただし、この実施例に記載されている構成方法、構成装置、構成内容、構成部品の寸法、材質、形状、その相対配置などは、特に特定的な記載がないかぎりは、この発明の範囲をそれらのみに限定する趣旨のものでなく、単なる説明例にすぎない。この敷物は、特許請求の範囲において種々の変更を加える事ができる。
【００１５】
本発明の構造と、これを使用する方法を図１、図２で説明する。
藺草の敷物１は、巾６５ｃｍ〜８５ｃｍ、長さ７５ｃｍ〜９５ｃｍ程度の寸法であり、特に編み方として朱子織又は綾織（斜文織）により適度な滑りが得られるので好適な様態である。
【００１６】
滑り止２ａ，２ｂは、巾１ｃｍ〜６ｃｍ程度の寸法で、細い帯状で藺草の敷物１の両端の部分に設けたものであり、藺草の敷物１の厚みより若干厚みがあり、被介護者の体の滑り止めと、藺草の敷物１が敷布団の上からずれないようにするものである。
【００１７】
固定部３ａ，３ｂは、巾４０ｃｍ〜６０ｃｍ、長さ７５ｃｍ〜９５ｃｍ程度の布地できた織物であり、藺草の敷物１を動かないように敷布団に敷き込むことで、被介護者の体重ににより固定できる構造である。
【００１８】
まず、敷き布団の上に藺草の敷物１を置き、介護者は被介護者の胴体の部分が、藺草の敷物１の中央部の位置にくるように設定し、両端部分の固定部２ａ，２ｂを敷き布団の下に敷きこんで藺草の敷物１の位置がずれないようにする。
【００１９】
次に、介護者は、被介護者である動けない病人や寝たきり老人の床ずれを防ぐために、寝返りをさせたり、体の位置をずらそうとする時は、藺草の敷物１の中心にして体を動かすと、容易に体の位置をかえることができる。
【００２０】
以上、本発明の実施例について説明したが、本発明はこのような実施例に何等限定されるものでなく、本発明の要旨を逸脱しない範囲において種々なる態様で実施し得ることはもちろんである。
【００２１】
【発明の効果】
本発明は、以上説明したように構成されているので、下記に記載されるような効果を奏する。
【００２２】
通気性と吸湿性のある藺草の敷物を使用することで、被介護者の床ずれを減少する事ができた。また、藺草の表面を滑りやすくする特殊な織り方をした敷物なので、介護者が被介護者の体の移動や方向の転換が容易になった為である。
【００２３】
介護者は、被介護者の床ずれ防止のために体の位置をずらしたり、排尿・排便や入浴のために体を移動させるのは大変力のいる重労働であったが、体をすべらせて移動できるので労力が軽減できるようになった。
【図面の簡単な説明】
【図１】本発明の斜視図である。
【図２】本発明の実施例における斜視図である。
【符号の説明】
１・・・藺草の敷物
２ａ，２ｂ・・・滑り止
３ａ，３ｂ・・・固定部
【図１】
2004305663.tif 000003
【図２】
2004305663.tif 000004
(57)【要約】【課題】ホームランボール、ファールボールを、けがをしないで受けとめられ、又空気を抜くと、小さくなり、持ち運びがしやすくなる、ホームラン、ファールボールの捕球グローブを提供する。【解決手段】柔らかいプラスチック（１）と編んだ網、又布（２）を張り合わす、それをグローブの裏と表に分けて、裏型（３）と表型（４）に切る、そして裏型（３）と表型（４）を張り合わす、裏型（３）の方に空気弁（５）と手袋（６）を取り付ける。【選択図】    図１
2004305664.tif 000002
【特許請求の範囲】
【請求項１】
柔らかいプラスチック（１）と編んだ網、又布（２）を張り合わせ、その合わしたものを、野球のグローブの大きさにする為、野球のグローブを裏と表に分け裏型（３）と表型（４）に切る、そして裏型の成型、表型の成型をし、裏型（３）と表型（４）を張り合わす、裏型（３）方にに空気弁（５）をつける、又裏型（３）の方へ、人の手が入る、手袋（６）を取り付ける、ホームラン、ファールボールの捕球グローブ。
【発明の詳細な説明】
【０００１】
【発明の属する技術分野】
この発明は、野球を観戦に行ったとき、ホームランボール、ファールボールなどが、観客席に飛び込んで来たときに関するものである。
【０００２】
【従来の技術】
従来は、ホームランボール、ファールボールなどが、観客席に飛び込んで来たとき、素手で取っていた。
【０００３】
【発明が解決しようとする課題】
ボールを素手でうけると、堅いボールであり、又スピードがあり、落として他人にボールを取られたり、手、身体にけがをした、そこでホームラン、ファールボールの捕球グローブを使うと、ボールにスピードが出ていても空気がクッションになり、受けとめられ、他人にボールを取られなく、又けがもしない、又本当のグローブを電車、車で持っていくと、大嵩であった、そこでホームラン、ファールボールの捕球グローブを持っていく時には、空気を抜き、小さくすると、嵩が減りポケットにも入り、持って行きやすい、本発明は、これらの欠点を解決するために発明されたものである。
【０００４】
【課題を解決するための手段】
柔らかいプラスチックと網を張り合わせ、その合わしたものを、野球のグローブの大きさにする為、野球のグローブを裏と表に分け裏型と表型に切る、そして裏型の成型、表型の成型をし、裏型と表型を張り合わす、裏型に空気の出入りできる弁をつける又、裏型の方へ、人の手が入る手袋を取り付け、グローブと手が、固定できる用になるホームラン、ファールボールの捕球グローブ。
【０００５】
【発明の実施の形態】
以下、本発明の実施の形態について説明する、軽い、柔らかい重合型プラスチックと編んだ網、布を張り合わしたものを、野球のグローブの大きさにする為、野球のグローブを裏と表に分け、軽い、柔らかい重合型プラスチックと編んだ網、布を張り合わしたものを裏型に切る、そして柔らかい重合型プラスチックと編んだ網、布を張り合わしたものをと表型に切る、そして裏型の成型、表型の成型をし、裏型と表型を張り合わす、裏型に空気の出入りできる弁をつける、又裏型の方へ、人の手が入る手袋を取り付ける、又これを使用するときは、空気弁から空気を入れてふくらまし、栓をし、人の手が入る手袋に手を入れて使用する、又使わないときは、栓から空気を抜くと、小さくなり、捕球グローブがしまいやすくなる。
【０００６】
【発明の効果】
この発明のメリットは、プロ野球のホームラン、ファールボールはサービスでくれるから、観客が楽しく取り合いするのである、このホームラン、ファールボールの捕球グローブは、直接受けられるから手が痛くなく、安心してボールを捕球できるのである。
【図面の簡単な説明】
【図１】本発明の斜視図
【図２】本発明の裏型図
【図３】本発明のＡ−Ａ′断面図
【符号の説明】
１        柔らかいプラスチック
２        編んだ網、又布
３        裏型
４        表型
５        空気弁
６        手袋
７        裏型と表型を張り合わせた所
８        裏型と手袋を張り合わせた所
【図１】
2004305664.tif 000003
【図２】
2004305664.tif 000004
【図３】
2004305664.tif 000005
(57)【要約】【課題】家庭で、乳歯を簡単に衛生的に抜けるようにした抜歯具を提供する。【解決手段】柄（３）の先端にＵ字状の支軸（２）を設け、支軸（２）の両端に糸（１）を橋渡して取り付ける。以上の構成よりなる乳歯の抜歯具。【選択図】  図１
2004305681.tif 000002
【特許請求の範囲】
【請求項１】
柄（３）の先端にＵ字状の支軸（２）を設け、支軸（２）の両端に糸（１）を橋渡して取り付ける。以上の構成よりなる乳歯の抜歯具。
【発明の詳細な説明】
【０００１】
【発明の属する技術分野】
この発明は、乳歯が簡単に衛生的に抜けるようにした抜歯具に関するものである。
【０００２】
【従来の技術】
従来、子供の乳歯がぐらぐら抜けかわろうとしている時、家庭で手で抜くか、縫い糸を乳歯にかけて抜いていたか、歯科医院の医師により抜歯してもらっていた。
【０００３】
【発明が解決しようとする課題】
これは、次のような欠点があった。
（イ）家庭でぐらぐら抜けかわろうとしている乳歯を手で抜くと、衛生上、問題があった。
（ロ）家庭で乳歯を抜歯後、適切な処理がなされずに、歯の健康を損ねていた。本発明は、これらの欠点を解決するためになされたものである。
【０００４】
【課題を解決するための手段】
柄（３）の先端にＵ字状の支軸（２）を設け、支軸（２）の両端に糸（１）を橋渡して取り付ける。
以上の構成よりなる乳歯の抜歯具である。
【０００５】
【発明の実施の形態】
以下、本発明の実地例について説明する。
（イ）全体を樹脂または金属よりなる直線状の柄（３）の先端にＵ字状からなる支軸（２）を一体に設ける。
（ロ）Ｕ字状の支軸（２）の両端に糸（１）を弛ませるように橋渡して固着する。
本発明は、以上の構成よりなっている。
本発明を使用するときは、ぐらぐら抜けかわろうとしている乳歯（４）に弛ませるように橋渡して固着した糸（１）を引っ掛けて、Ｕ字状の支軸（２）がついた柄（３）を手で持ち支軸（２）を回転させることにより、図３に示すように、糸（１）と乳歯（４）に隙間がなくなり、糸（１）は、乳歯（４）に巻きついた状態で、きつくしめられる。柄（３）を簡単にひっぱるだけで乳歯（４）を抜くことができる抜歯具である。
【０００６】
【発明の効果】
本発明を使用することにより、抜けかわろうとしているぐらぐらの乳歯を簡単に衛生的に抜くことができる。
【図面の簡単な説明】
【図１】本発明の正面図
【図２】本発明の斜視図
【図３】本発明の使用状態を示す斜視図
【符号の説明】
１  糸
２  支軸
３  柄
４  乳歯
【図１】
2004305681.tif 000003
【図２】
2004305681.tif 000004
【図３】
2004305681.tif 000005
(57)【要約】【課題】この発明は全自動洗濯機の、お湯取りホース内に滞留する残水を、短時間に排水する装置を提供する。【解決手段】お湯取りホースに給気口（２）を設け、栓（３）又はキヤツプ（４）により給気口（２）を密閉して吸水し、開放してホース内に滞留する残水を極めて短時間に排水することを特徴する。【選択図】図１
2004305688.tif 000002
【特許請求の範囲】
【請求項１】
風呂の残り湯を吸水出来る全自動電気洗濯機の、お湯取りホースに、給気口を設けた、給気口付きお湯取りホース。
【発明の詳細な説明】
【０００１】
【発明の属する技術分野】
この発明は、風呂の残り湯を吸水出来る全自動電気洗濯機の、お湯取りホース内に滞留する残水を、短時間に排水する給気口付きお湯取りホースに関するものである。
【０００２】
【従来の技術】
風呂の残り湯を吸水出来る全自動電気洗濯機では、風呂水吸水口にお湯取りホースの吸水継手を接続し、ホース他端のクリーンフイルターを浴槽内に沈め、吸水ポンプを運転させて風呂の残り湯を洗濯漕内に取り入れる。
吸水の終ったお湯取りホースは、クリーンフイルターを浴槽から浴室床上に取り出すが、そのまま床上に放置してもクリーフイルターから給気されないので、ホース内には残水が滞留する、残水を排水するため従来より次の様な方法が用いられる。
（イ）吸水ポンプを再度運転し、残水を洗濯漕内に取り入れ、更に脱水運転して排水管から排水する。
（ロ）風呂水吸水口から、お湯取りホースの吸水継手を外して、ホース内に給気しクリーンフイルターから排水する。
（ハ）お湯取りホースの中間部を高く持ち上げ、クリーンフイルターを振り動かして排水する。
【０００３】
【発明が解決しようとする課題】
これらの滞留した残水を排水する方法は、各々次の様な欠点があつた。
（イ）の方法は、２つの操作と運転を必要とし、電力と時間を無駄に消費し、且つ残水の一部がホース内に残留する。（ロ）の方法は、殆んどの残水を排水出来るが、お湯取りの度毎に吸水継手を取り付け、取り外しすることはＯリング等の破損損耗により気密が保たれなくなり、お湯取りが不能になるおそれがある。（ハ）の方法は、残水の一部がホース内に残留するばかりでなく、労力を要し、又、水が飛び散り周囲を汚すことがある。
何れの方法も煩らわしく、電力、時間、労力を要し、洗濯が終つてもホースを直ちにホース掛けに片付けることが出来ず不便であつた。
本発明はこれらの問題点を解消し、家事の合理化省力化のため発明されたものである。
【０００４】
【課題を解決するための手段】
お湯取りホースの吸水継手（１）に給気口（２）を設ける。
給気口（２）には、取り付け、取り外しが容易で給気口（２）を密閉出来る栓（３）、又はキヤツプ（４）を付属させる。
本発明は以上の構成よりなる給気口付きお湯取りホースである。
【０００５】
【発明の実態の説明】
本発明の実施の形態について説明する。
（イ）全自動洗濯機にお風呂の残り湯を利用する場合、お湯取りホースの吸水継手（１）を洗濯機の風呂水吸水口に接続し、ホース他端のクリーンフイルターを浴槽内に沈め、給気口（２）を栓（３）又はキヤツプ（４）で密閉し、吸水ポンプを運転して風呂の残り湯を洗濯槽内に取り入れる。
（ロ）洗濯終了後クリーンフイルターを浴槽から取り出し、浴室床上に置き、栓（３）又はキヤツプ（４）を取り外し、給気口（２）を開放することにより、お湯取りホース内の残水を極めて短時間に、クリーンフイルターより排水することが出来る。
なお既存のお湯取りホースについても、吸水継手（１）に近接させてホース（６）を切断し、図３、図４に示す、給気口付き継手（５）で再接合し、給気口（２）を栓（３）又はキヤツプ（４）で密閉、開放することにより同様の効果を得ることが出来る。
【０００６】
【発明の効果】
お湯取りホースに給気口を設けることにより、電力、時間、労力を要せず、お湯取りホース内の残水を極めて短時間に排水出来るので、洗濯終了後、速やかにお湯取りホースをホース掛けに片付けることが可能となり、家事を合理化、省力化することが出来る。
【図面の簡単な説明】
【図１】本発明の斜視図である。
【図２】本発明の縦断面図である。
【図３】本発明の他の実施例を示す斜視図である。
【図４】本発明の他の実施例を示す縦断面図である。
【符号の説明】
１  吸水継手                ４  キヤツプ
２  給気口                  ５  給気口付き継手
３  栓                      ６  ホース
【図１】
2004305688.tif 000003
【図２】
2004305688.tif 000004
【図３】
2004305688.tif 000005
【図４】
2004305688.tif 000006
(57)【要約】【課題】一部分のみのメモリから便理なボーダーラインを設けた哺乳びんを、提供する。【解決手段】哺乳びんの全周に計量ボーダーラインを設けた事を特徴とする。【選択図】  図１
2004305687.tif 000002
【特許請求の範囲】
【請求項１】
哺乳びんの全周に計量ボーダーラインを設けた哺乳びん。
【発明の詳細な説明】
【０００１】
【発明の属する技術分野】
本発明は、哺乳びんの全周に計量ボーダーラインを設けることにより、親の精神面の改善と、時間短縮を計る事の出来るように、工夫した哺乳びんに関するものである。
【０００２】
【従来の技術】
従来、哺乳びんの一部分のみに、メモリを設けた哺乳びんはあった。
【０００３】
【発明が解決しようとする課題】
これには次のような欠点があった。
（１）メモリが哺乳びんの一部分しか設けてないので、メモリを見っけるのに手間どった。
（ロ）泣き出したら、ミルク作りを始めるが、泣き声についあわててしまい、赤ちゃんは泣き止まないし、不馴れな母親、父親は精神状態が不安定に、陥ってしまう。
【０００４】
【課題を解決するための手段】
哺乳びんの全周に計量ボーダーラインを設ける。
本発明は以上のような、構成より成る哺乳びんである。
【０００５】
【発明の実施の形態】
以下、本発明の実施の形態を説明する。
哺乳びん本体（Ａ）の全周（１）に計量ボーダーライン（２）を設ける。
本発明は以上の構造に成って、これを使用する時は次の様に行う。
まず、本体（Ａ）を持ったら、必要ライン（２）までお湯、牛乳、スープ等を注ぎ入れる。
【０００６】
【発明の効果】
従って、本体（Ａ）の全周どこからでも、必要ライン（２）に注ぎ入れる事が出来るので、細いメモリや数字等、日夜を問わずその都度、あわてる事もなく、時間短縮と、親子、お手伝いの人誰でも、そして視力の弱い方にも容易と成り、精神面上、大きな安定が得られる。
【図面の簡単な説明】
【図１】本発明の正面図である。
【図２】本発明の使用状態を示す図である。
【符号の説明】
Ａ  本体
１  全周
２  計量ボーダーライン
【図１】
2004305687.tif 000003
【図２】
2004305687.tif 000004
(57)【要約】【目的】眼科の白内障超音波乳化吸引術において、従来の超音波チップや各分割フックで分割することが困難である硬い水晶体核も、あるいは従来の円形の超音波チップで可能である硬さの核も、本発明により、短時間かつ簡易な手技で分割、乳化吸引を可能にすることを目的とする。【構成】従来の超音波チップの先端から１０ｍｍの間を平板状にする。この形状は短辺側の内径の長さが０．１ｍｍから０．７ｍｍであり、長辺側の長さは短辺のそれに必然的に従う。【選択図】  図３
2004305682.tif 000002
【特許請求の範囲】
【請求項１】
カニューラ内側の短径の長さが０．１ｍｍから０．７ｍｍである平たい形状の超音波チップ（ニードル）
【発明の詳細な説明】
【０００１】
【産業上の利用分野】この発明は、眼科の白内障手術における超音波乳化吸引手術装置の附属品である超音波チップ（ニードル）に関するものである。
【０００２】
【従来の技術】従来、すべての超音波チップチュはチタンあるいはステンレス製の円形のカニューラである。但し、１９９０年前後に緩やかな楕円形のカニューラの超音波チップが存在したが、楕円形状の目的は創口からの挿入のし易さや破砕核の吸引のし易さであり、本発明が解決しようとする核の分割など全く意図していない。したがって、本発明の形状に至らず、短期間で消滅した。
【０００３】
【発明が解決しようとする課題】
硬い水晶体核を従来の円形の超音波チップで分割することは困難である。強行すれば、角膜の熱傷、破砕核片による超音波チップやチューブの閉塞、超音波の長時間化の障害が発生する。本発明により、硬い水晶体核に超音波チップを瞬時に、簡易に打ち込み、亀裂を生じさせ、一瞬にして分割させようとするものである。分割した核をさらに本チップで破砕し、乳化吸引する。
【０００４】
【課題を解決するための手段】
従来の超音波チップの先端から１０ｍｍ以内の任意の間を平板状にする。この形状は、内径の短径側の長さが０．１ｍｍから０．７ｍｍの任意の長さであり、長径側の長さは、チタン等のカニューラの内径と上記の短径の長さに、必然的に従う。
【０００５】
【作用】本発明の超音波チップの先端の長径方向を上下にして、水晶体に触れ、超音波振動を与えると、水晶体核の内部に打ち込まれて行く。つまり、この時、本超音波チップは水晶体の層構造の全層を縦断的に切除するが、テーパー状になった形状のチップを前進させることで、分断された切除面の空間を押し広げ、赤道部の方向へ亀裂が発生し、核が割れる。
【０００６】
【実施例】本発明の超音波チップの先端の長径方向を上下にして、水晶体に触れ、超音波振動を与えると、水晶体核の内部に打ち込まれて行く。するとチップ打ち込んだ方向の赤道部を目指して亀裂が発生し、チップを前進すると核が割れてゆく。分割した核片を、本チップの長径方向を水平に持ち直して、さらに破砕し、乳化し、吸引排出する。
【０００７】
【発明の効果】本発明により、従来不適用であった硬い水晶体核も、あるいは従来の円形の超音波チップで可能である硬さの核も、超音波チップだけで分割し、乳化し、吸引できるようになる。白内障超音波乳化吸引術の適用範囲が広がる。従来より短い超音波使用時間、かつ、従来より弱い超音波出力で核分割が起こる。つまり角膜の熱傷が減少する。さらに超音波チップの吸引口が狭いから、細かい核片になりチップやチューブの閉塞が減少する。
【図面の簡単な説明】
【図１】超音波チップの全体図である。
【図２】実施例の正面図である。
【図３】実施例の側面図である。
【図４】実施例の上面図である。
【符号の説明】
１  カニューラの内径
２  カニューラの外径
３  平板状カニューラ内側の短径
４  平板状カニューラ内側の長径
【図１】
2004305682.tif 000003
【図２】
2004305682.tif 000004
【図３】
2004305682.tif 000005
【図４】
2004305682.tif 000006
(57)【要約】【課題】窓に配される布地やレース地のごとき通気性カーテンの窓面側の適所にビニールシートのごとき外気進入遮断素材よりなる着脱自在カーテン部材を取り付けることにより、外気の進入を妨げて外気の窓の隙間から室内への進入を最小限にして、必要な冷暖房効果を得るための冷暖房機器の稼働率を押え、省エネルギーにもなるカーテン部材を提供することにある。【解決手段】窓に配される布地やレース地のごとき通気性カーテンの窓面側に着脱自在であるビニールシートのごとき外気の進入を妨げる素材よりなるものである。また、窓に配される布地やレース地のごとき通気性カーテンのフックに掛脱自在な吊り部を配設してなるビニールシートのごとき外気の進入を妨げる素材よりなるものである。【選択図】      図２
2004305431.tif 000002
【特許請求の範囲】
【請求項１】
窓に配される布地やレース地のごとき通気性カーテンの窓面側に着脱自在であるビニールシートのごとき外気の進入を妨げる素材よりなるカーテン部材。
【請求項２】
窓に配される布地やレース地のごとき通気性カーテンのフックに掛脱自在な吊り部を配設してなるビニールシートのごとき外気の進入を妨げる素材よりなるカーテン部材。
【発明の詳細な説明】
【０００１】
【発明の属する技術分野】
本発明は、冷暖房機器を使用する時期などにおいて、外気の窓の隙間から室内への進入を最小限にすることを可能として、必要な冷暖房効果を得るための冷暖房機器の稼働率を押え、省エネルギーにもなるカーテン部材に係るものである。
【０００２】
【従来の技術】
従前から、冷暖房機器の使用要領として、窓にカーテンを配し、外気の窓から室内への進入を少なくすれば、冷暖房効果が上がることはよく知られている。
しかし、通常、窓面に配されるカーテンの素材は、美観や趣味性から、布地やレース地の素材を使用することが多く、その場合、そうした織物素材からなるカーテンでは窓の隙間から室内に進入する外気を通してしまうため、冷暖房機器の稼働率を上げないと冷暖房の効きが悪い、といった欠点があったものである。
また、外気を通さないために、ビニール地のカーテンのみをそのまま窓面に配するという方法もあるが、外気の室内への進入は防ぐことはできるものの、美観や趣味性の点で不満があったものである。
【０００３】
【発明が解決しようとする課題】
本発明は、上記した実状に鑑みてなされたもので、窓に配される布地やレース地のごとき通気性カーテンの窓面側の適所にビニールシートのごとき外気進入遮断素材よりなる着脱自在カーテン部材を取り付けることにより、外気の進入を大幅に遮断し外気の窓の隙間から室内への進入を最小限にして、必要な冷暖房効果を得るための冷暖房機器の稼働率を押えることができ、省エネルギーにもなるカーテン部材を提供することをその目的とするものである。
【０００４】
【問題を解決するための手段】
本発明に係るカーテン部材は、窓に配される布地やレース地のごとき通気性カーテンの窓面側に着脱自在であるビニールシートのごとき外気の進入を妨げる素材よりなるものである。
また、本発明に係るカーテン部材は、窓に配される布地やレース地のごとき通気性カーテンのフックに掛脱自在な吊り部を配設してなるビニールシートのごとき外気の進入を妨げる素材よりなるものである。
【０００５】
【発明の実施の形態】
以下、本発明のカーテン部材について実施例に基づき説明する。図１は本発明に係るカーテン部材の平面図、図２は本発明のカーテン部材を窓に配される布地やレース地のごとき通気性カーテンの窓面側に適用した説明図、そして図３は図２の概略側面図である。
図において、本発明に係るカーテン部材１は、好ましくは実施例に示すように、窓枠面に対して平面に覆う平面状としている。これは、カーテンのように波状にすると、空気が上下に逃げやすくなるので、それを防ぐためである。また、通常、カーテンには若干のゆとりがあるので、標準サイズに照準を合わせ、例えば、半間（約９０ｃｍ）の窓に対応するカーテン部材は、１００ｃｍの幅のシート状とし、また、カーテン部材の上部には吊り部となる丸輪２を８乃至１０ヵ所、間隔を８乃至１２ｃｍの範囲内とするよい。
そして、冷暖房機器を使用する際には、窓に配されているレース地のカーテン３の窓面に、カーテン部材１の丸輪２をカーテンフック４に掛けるだけで簡単に取り付けることができ、しかもカーテンの開閉と共に開閉できることとなる。図中、５は窓、６はカーテンレールの輪である。
尚、この実施例では、本発明のカーテン部材を平面シート状としたが、形状については実施例に限定されることなく、その他の形状であってもよいし、この実施例では、窓枠全体を本発明のカーテン部材により覆うようにしたが、窓枠の一部を覆うだけでも無論よい。また、カーテン部材の素材は、この実施例ではビニールシートとしたが、外気の進入を遮断する素材であればどのような素材であってもよい。さらにまた、吊り部はこの実施例では丸輪としたが、カーテンのフックに掛脱自在であればどのような構造の吊り部であってもよい。
以下、本発明に係るカーテン部材の作用について説明する。
窓に配される布地やレース地のごとき通気性カーテンの窓面側に、例えば窓枠を覆う幅と長さを備えるビニールシートのごとき外気の進入を妨げる素材よりなるカーテン部材を着脱自在としたから、冷暖房機器を使用する時期に、このカーテン部材をカーテンの窓面側に取り付けると、窓の周囲の隙間から入り込む外気はこのカーテン部材により最小限となり、したがって、必要な冷暖房効果を得るための冷暖房機器の稼働率を押えることができ、省エネルギーにも寄与することとなる。
また、カーテン部材をカーテンに着脱自在とする構成が、カーテンのフックに掛脱自在な吊り部、例えば丸輪を配して、カーテンフックに掛けるようにすると、既存のカーテンにも着脱が迅速にかつ容易に行ない得る上に、カーテンの開閉と共に開閉できる。
【０００６】
【発明の効果】
以上の説明から明らかなように、本発明に係るカーテン部材は、窓に配される布地やレース地のごとき通気性カーテンの窓面側にビニールシートのごとき外気進入遮断素材よりなる着脱自在カーテン部材を取り付けるようにするから、このことにより、外気の進入を遮断して外気の窓の隙間から室内への進入を最小限にして、必要な冷暖房効果を得るための冷暖房機器の稼働率を押えることができ、省エネルギーにもなる。しかも、軽量安価である上に、視野を妨げず、美観や趣味性も損なわないなどといった顕著な効果が得られる。
また、カーテン部材の吊り部をカーテンのフックに掛けるようにすれば、着脱が迅速にかつ容易に行ない得る上に、カーテンの開閉と共に開閉できて使用上の問題もない。
【図面の簡単な説明】
【図１】本発明に係るカーテン部材の平面図である。
【図２】本発明のカーテン部材を窓に配される布地やレース地のごとき通気性カーテンの窓面側に適用した説明図である。
【図３】図２の概略側面図である。
【符号の説明】
１  カーテン部材
２  吊り部
３  レースカーテン
４  カーテンフック
５  窓
６  カーテンレールの輪
【図１】
2004305431.tif 000003
【図２】
2004305431.tif 000004
【図３】
2004305431.tif 000005
(57)【要約】【課題】アレルギー予防用の鼻マスクを提供する。【解決手段】通気性を有するフィルター（１）、該フィルターの取付けれらた支持ヒモ（２）とからなる鼻マスクであって、該フィルターは支持ヒモの略中央部に取付けられた略円筒形状であり、支持ヒモは耳に取付ける取付け部を有している。柔らかい円筒状フィルターは、鼻孔に完全に密着し、フィルター効果を改善すると共に、使用時の不快感を軽減している。【選択図】    図１
2004305410.tif 000002
【特許請求の範囲】
【請求項１】
通気性を有するフィルター（１）、該フィルターの取付けられた支持ヒモ若しくは棒手段（２）とからなる鼻マスクにおいて、該フィルターは支持手段の略中央部に取付けられた略円筒形状であり、支持手段は耳に取付ける取付け部を有している鼻マスク。
【発明の詳細な説明】
【０００１】
【背景技術】
口と鼻を同時に覆う一般のマスクに対し、鼻のみを覆うマスクは例えば特開２０００−１２６３１９号に開示されている。このような鼻マスクは、風邪用ということでなく特に花粉症に対するものである。このような鼻マスクは、従来のガーゼ布サイズを略半分にし、鼻先端部のみを覆うものであり、やはり使用時にメガネが曇ったり、わずらわしさがあると共にそのフィルター効果が十分ではなかった。
【０００２】
【発明の概要】
本発明に従う鼻マスクは、通気性を有するフィルター（１）、該フィルターの取付けられた支持手段（２）とからなり、フィルターは支持手段の略中央部に取付けられた略円筒形状であり、支持手段は耳に取付ける取付け部を有している。
【０００３】
【実施例の説明】
図１に、本発明の鼻マスクを人に装着した様子を示す。ロール上のフィルター布部１が鼻孔に直接に適用されるよう、フィルター布部１を支持するゴムバンド等の支持ヒモ２が輪状の取付け部により耳にかけられる。図２に示すように、フィルター布部１は不織布等の通気性のある材質のシートを、目印のつけれられた支持ヒモ中央部に巻きつけることで形成される。フィルター布部１は、汚れた際に取り換え可能となっている。支持ヒモ中央部は、フィルター布部１に巻きつけやすいように凹凸を形成してある。図３に示すように、支持ヒモは、ゴムバンドによる耳にかける輪を含むもの、又はプラスチック、針金（形状記憶合金等）による棒状のメガネのフレーム状でも良いし、それらの組合せでも良い。
【０００４】
フィルター布部１は、６０ｍｍ×５０ｍｍで厚さが３ｍｍ程度のシートが好ましい。これをロール状にして支持ヒモ２の中央部に巻きつけ、柔らかい円筒状のフィルターを形成し、鼻孔に押し当てるように装着する。フィルター布部にアレルギーの治療効果や予防効果がある薬剤や芳香剤などをしみ込ますことにより、治療効果や予防効果や健康維持効果も得られる。
【０００５】
円筒状フィルター布部１は、容易に取換えが可能な通気性がある柔らかい略円筒状（ロール状）のものであれば良い。例えば、スポンジであることもできる。円筒状スポンジの円筒中心に孔を有し、その孔に支持ヒモを通すタイプでも良いし、円筒状スポンジの側面に切り込みを入れ、その切り込みに支持ヒモを適合させても良い。
【０００６】
フィルター布部１は、柔らかい円筒状であるので、鼻孔に完全に密着されると共に厚いフィルター層を形成できるから、フィルター効果は大幅に改善される。又、フィルター布部１の面積も小さいから、装着時の不快感は著しく軽減される。
【０００７】
本発明の鼻マスクは、従来の鼻マスクに比べ、鼻の孔とその付近のみを覆うので、不快感が著しく軽減されると共に実用的に大幅に改善されている。特にスポーツ時、就寝時に装着することに好適である。
【図面の簡単な説明】
【図１】図１は本発明の鼻マスクを人に装着した様子を示す。
【図２】図２は、フィルター布部の取付け法を示す。
【図３】図３は、支持ヒモの構成の例を示す。
【符号の説明】
１    フィルター布部
２    支持ヒモ
【図１】
2004305410.tif 000003
【図２】
2004305410.tif 000004
【図３】
2004305410.tif 000005
(57)【要約】【課題】生産性の向上を図る。【解決手段】ゲルマニウムを主成分として成した成形体１の表面に、下地層としてゲルマニウムとの密着性に優れた銅錫合金メッキ層３を生成し、この下地層上に結合層として金メッキ層４を生成し、この結合層上に化粧層としてロジウムメッキ層５を生成することによって、ゲルマニウム成形体１上へのメッキ生成を容易化する。【選択図】        図１
2004305409.tif 000002
【特許請求の範囲】
【請求項１】
ゲルマニウムを主成分として成した成形体の表面に銅錫合金メッキ層を生成し、該銅錫合金メッキ層上に金メッキ層を生成し、該金メッキ層上にロジウムメッキ層を生成したことを特徴とするゲルマニウム医療用具。
【発明の詳細な説明】
【０００１】
【発明の属する技術分野】
本発明は、肩凝り、腰痛、筋肉痛等の症状を緩和するために、皮膚に貼着使用するゲルマニウム医療用具に関する。
【０００２】
【従来の技術】
従来、ゲルマニウムは電子部品としてはもとより、その半導体特性により、肩凝り、腰痛、筋肉痛等の種々の症状を緩和する医療用具としても広く利用されている。
即ち、ゲルマニウムは３２個の電子を有する原子番号３２の原子で、その最外殻軌道には４個の電子が配置されており、その内１個の電子は非常に遊離し易く、この一個の電子が遊離することで正孔が生じ、この正孔は他のものから電子を吸引する性質を有している。
一方、生体の神経系は生体中に生じる電気的作用で正常な機能が保たれる様になっているが、生体内における種々の患部においては各細胞の電位が異常な値を示すことが知られており、かかる患部に対しゲルマニウムを貼着すると、患部の痛み、炎症等が治癒することが知られている。
ゲルマニウムが患部を治癒する機構は、未だ十分に解明されていないが、イオン発生、ラジカル消去等のゲルマニウムが有する電気的特性によって、患部との間で電子交換等が行われ、患部の異常電位が正常化されて炎症等の疾患が治癒するものと思われる。
このゲルマニウム特性を利用した医療用具としては、ゲルマニウム成形体上に下地層としてニッケルメッキ層を生成し、その上にパラジウムメッキ層を生成し、更にその上に最外面の化粧層としてロジウムメッキ層を生成することによって、汗等の生体分泌物からゲルマニウム成形体を保護すると共に、外観向上を図る様にしたものが知られている（例えば、特許文献１参照。）。
【０００３】
【特許文献１】
特公平４−１２９９２号公報
【０００４】
【発明が解決しようとする課題】
ところが、ゲルマニウムに対するニッケルメッキの付き回りは悪く、このため下地層としてのニッケルメッキの生成条件、例えば電気メッキの浴組成、陽極電流密度等の設定及び管理が困難で、生産性の向上を図るためには下地メッキの改善が必要であった。
【０００５】
【課題を解決するための手段】
本発明は、上記課題に鑑み、ゲルマニウムを主成分として成した成形体の表面に、下地層としてゲルマニウムとの密着性に優れた銅錫合金メッキ層を生成し、この下地層上に結合層として金メッキ層を生成し、この結合層上にロジウムメッキ層を生成することによって、ゲルマニウム成形体上へのメッキ生成を容易化する様にして、上記課題を解決する。
【０００６】
【発明の実施の形態】
以下本発明の一実施例を図面に基づいて説明する。
図１は本発明に係るゲルマニウム医療用具の縦断面図である。
本発明に係るゲルマニウム医療用具は、ゲルマニウムを主成分として成した成形体１の表面を三重層メッキ２で被覆したものである。
成形体１は、ゲルマニウム単体又はゲルマニウムと他の金属若しくはガラスの混合物から成り、例えば高純度の精製ゲルマニウム（純度９９．９９９％）のインゴットを溶解し、所定の型内に流し込んで成形するか、或いは上記インゴットを粉砕した微粉体を加圧成形した後、適宜温度下で焼結させて形成したものである。
又、ゲルマニウム微粉体に銅、銀、アルミニウム、錫等の金属や、ガラスの微粉体を混合し、かかる混合微粉体を加圧成形した後、焼結させても良い。
【０００７】
尚、成形体１の形状は何等限定されず、例えば図示例の様に偏平駒形や、中央部に凸部を有する円盤形状に成形し、駒型の円錐頂部又は円盤の凸部を皮膚への接触側とし、人体に貼付した際に指圧的刺激を与える様にしても良い。
【０００８】
三重層メッキ２は、先ず成形体１の表面に１〜４ミクロンの銅錫合金メッキ層３を生成し、次に銅錫合金メッキ層３上に約０．１ミクロンの金メッキ層４を生成し、更に金メッキ層４上に０．１〜０．２ミクロンのロジウムメッキ層５を生成している。
三重層メッキ２において、成形体１の表面に直接生成される銅錫合金メッキ層３は、成形体１表面の微細な凹凸を埋め、平滑な表面を有する下地層となって、下地層上に生成される高価な金メッキ層４の必要厚みを薄くする。
金メッキ層４は、銅錫合金メッキ層３及びロジウムメッキ層５との密着性に優れ、銅錫合金メッキ層３とロジウムメッキ層５の中間に位置することで、結合層として作用する。
そして、最外面のロジウムメッキ層５は、耐食性及び耐磨耗性に優れ、人体からの分泌物による成形体１の腐食を防止し、更に白金の様な金属光沢を呈する外観特性により、化粧層として商品価値の向上に寄与するものである。
【０００９】
以上の様に、本発明の医療用具は、ゲルマニウムを主成分とする成形体１を三重層メッキ２で被覆しているが、三重層メッキ２を形成している銅錫合金，金及びロジウムは全て電気の良導体であるために、ゲルマニウムが有するイオン発生、ラジカル消去等の電気的特性や、この電気的特性により生体患部を治療する作用の減退は一切ない。
又、銅錫合金，金及びロジウムは化学的にも安定で、人体に対する害はなく、モニターテストの結果においても、被験者の貼付箇所に金属アレルギーによる肌あれ、かぶれ等の不具合は一切認められなかった。
【００１０】
【発明の効果】
要するに本発明は、ゲルマニウムを主成分として成した成形体１の表面に、電気メッキで析出し易く、且つゲルマニウムに対して付き回りの良い銅錫合金メッキ層３を生成したので、成形体１の表面に耐剥離性に優れた下地層を容易に生成することが出来、製造時における諸条件の管理を簡易化して生産性の向上を図ることが出来る。
又、銅錫合金メッキ層上に金メッキ層３を生成し、該金メッキ層３上にロジウムメッキ層４を生成したので、人体からの分泌物によるゲルマニウム成形体の溶解、磨耗及びこれに基づく皮膚のかぶれ等を防止出来、特に最外面のロジウムメッキ層５の耐磨耗特性により、高価なゲルマニウム医療用具の耐久性を著しく向上させることが出来ると共に、白金の様な光沢を呈する外観により商品価値の向上を図ることが出来る等その実用的効果甚だ大である。
【図面の簡単な説明】
【図１】本発明に係るゲルマニウム医療用具の縦断面図である。
【符号の説明】
１  成形体
２  三重層メッキ
３  銅錫合金メッキ層
４  金メッキ層
５  ロジウムメッキ層
【図１】
2004305409.tif 000003
(57)【要約】【課題】操作性を向上したシネ再生が可能な超音波診断装置を提供すること。【解決手段】超音波によって被検体の心臓の超音波像を連続して得、各超音波像を時系列的に格納する手段と、この格納手段で、心電のＲ波間隔をもとに現画像が格納されるアドレスと、１心周期前または後の画像のアドレスを検出する手段と、この検出手段により検出された現画像のアドレスから１心周期前または後の画像のアドレスへ更新する手段と、この更新手段で更新されたアドレスの画像を再生し、その再生した画像を表示する手段とを備えることによって解決される。【選択図】      図１
2004305453.tif 000002
【特許請求の範囲】
【請求項１】
超音波によって被検体の心臓の超音波像を連続して得、各超音波像を時系列的に格納する手段と、この格納手段で、心電のＲ波間隔をもとに現画像が格納されるアドレスと、１心周期前または後の画像のアドレスを検出する手段と、この検出手段により検出された現画像のアドレスから１心周期前または後の画像のアドレスへ更新する手段と、この更新手段で更新されたアドレスの画像を再生し、その再生した画像を表示する手段とを備えたことを特徴とする超音波診断装置。
【発明の詳細な説明】
【０００１】
【発明が属する技術分野】
本発明は、被検体の超音波画像（Ｂモード像）をシネメモリに記録、再生する機能を有した超音波診断装置に係り、その再生操作を向上する技術に関する。
【０００２】
【従来の技術】
従来の超音波診断装置は、［特許文献１］に開示されるように、トラックボール等によるコマ再生にて目的の時相の画像を再生し、その画像が計測に適していない場合は、さらに１心周期前の目的時相の画像まで再生し、計測に適した画像にたどり着くまでこの操作を繰り返していた。
【特許文献１】
特開平３−９７３５号公報
【０００３】
【発明が解決しようとする課題】
しかしながら、超音波診断において、とくに循環器領域での計測は、心周期における拡張末期などの特定時相の画像にて計測することが多い。計測時には、操作者は計測にもっとも適した画像をシネメモリに蓄えられた複数心周期にわたる画像を効率的に再生し選択したいという必要がある。
上記従来技術では、このコマ再生では、必要としない画像も再生してしまうという無駄な手間がかかるおそれがあった。
本発明の目的は、操作性を向上したシネ再生が可能な超音波診断装置を提供することにある。
【０００４】
【課題を解決するための手段】
上記目的は、超音波によって被検体の心臓の超音波像を連続して得、各超音波像を時系列的に格納する手段と、この格納手段で、心電のＲ波間隔をもとに現画像が格納されるアドレスと、１心周期前または後の画像のアドレスを検出する手段と、この検出手段により検出された現画像のアドレスから１心周期前または後の画像のアドレスへ更新する手段と、この更新手段で更新されたアドレスの画像を再生し、その再生した画像を表示する手段とを備えることによって達成される。
【０００５】
【発明の実施の形態】
本発明の実施の形態について図面を参照して説明する。
図１は本発明の超音波診断装置の実施の一形態を示すブロック図、図２は図１の超音波診断装置のタイムチャートである。
本発明の超音波診断装置は、図１に示すように、探触子２と、超音波送受信部３３と、画像記憶部４と、画像表示部５と、ＴＶモニタ６と、心電信号検出部７と、心電信号記憶部８と、Ｒ波検出部９と、メインコントローラ１０と、操作パネル１１とを有している。
【０００６】
探触子２は被検体１に超音波を送波し、その反射エコー信号を受波する。超音波送受信部３は探触子１に送波パルスを与えると共に、反射エコー信号を増幅、整相などの信号処理を行う。画像記憶部４は超音波送受信部３で信号処理された反射エコー信号をＢモード、ドプラモード、Ｍモードなどの画像表示に合わせた走査に変換し、その画像を超音波画像として時系列的に記憶する。画像記憶部４はシネメモリともいう。画像表示部５は画像記憶部４に記憶された超音波画像を読み出して、画像表示に関するフォーマットなどを生成する。ＴＶモニタ６は、画像表示部５で生成されたフォーマットに従って超音波画像を表示する。心電信号検出部７は心電計など被検体１の心拍の電気信号を計測し、心電波形を出力する。心電信号記憶部８は心電信号検出部７に検出された心電信号を時系列的に記憶する。Ｒ波検出部９は心電信号記憶部８に記憶された心電信号のうちのＲ波だけを検出し、そのＲ波の検出時間を記憶する。メインコントローラ１０は操作パネル１１に入力される入力情報によって、超音波送受信部３、画像記憶部４、画像表示部５、心電信号記憶部８を統括的に制御する。
【０００７】
次に、本発明の超音波診断装置の動作について、図２を参照して説明する。
シネメモリからリアルタイム再生中に、予め心電波形のＲ波２２を検出し、そのときのシネメモリ上のアドレス間隔２３（時相）をＲ波検出部９に記憶しておく。
このＲ波アドレス間隔２３により、１心周期中の画像２１数（Ｂモード像ならばｘフレーム、Ｍモード，ドライブモード像ならばｘライン）を検出する。そして、現再生画像から前記ｘを引いたアドレスのシネメモリ画像を再生することで、１心周期前の画像を再生する。同じように現再生画像から前記ｘを足したアドレスのシネメモリ画像を再生することで１心周期後の画像を再生する。
ここではＲ波で説明したが、Ｒ波以外の心電波をトリガにしてシネメモリ画像を再生してもよい。
ワンタッチにて１心周期前または後の目的時相の画像を再生表示できるため、無駄な画像を再生する手間が省くことができる。
また、計測に適した画像選択を行なう際の選択時間の短縮することができる。
【０００８】
【発明の効果】
本発明は、操作性を向上したシネ再生が可能な超音波診断装置を提供するという効果がある。
【図面の簡単な説明】
【図１】本発明の超音波診断装置の実施例を示すブロック図。
【図２】図１の超音波診断装置のタイムチャートを示す図。
【符号の説明】
１  被検体
２  探触子
３  超音波送受信部
４  画像記憶部
５  画像表示部
６  ＴＶモニタ
７  心電信号検出部
８  心電信号記憶部
９  Ｒ波検出部
１０  メインコントローラ
１１  操作パネル
【図１】
2004305453.tif 000003
【図２】
2004305453.tif 000004